(57)【要約】【課題】眼鏡をかけた状態でもプロテクターと眼鏡とが干渉せず、かつプロテクターの内側に熱や湿気のこもらないフェイスプロテクタ―を提供すること。【解決手段】  人体の前頭部からこめかみ近傍にかけて当接する当接部１０２と、当該当接部１０２の当接状態を保持する保持部材１０４と、当接部１０２から前方へ突出する、人体の顔面を覆う、透明のシート状のプロテクター１０１と、当接部１０２の両端部に付設され、そのプロテクター１０１を少なくとも左右方向へ突設するスペーサ１０３とを備える。【選択図】図１
0003227460.tif 000002
【実用新案登録請求の範囲】
【請求項１】
人体の前頭部からこめかみ近傍にかけて当接する当接部と、
当該当接部の当接状態を保持する保持部材と、
前記当接部から前方へ突出する、前記人体の顔面を覆う、透明のシート状のプロテクターと、
前記当接部の両端部に付設され、前記プロテクターを少なくとも左右方向へ突設するスペーサと
を備えるフェイスプロテクタ―。
【請求項２】
前記当接部はヘッドバンドであって、前記スペーサは当該ヘッドバンドの両端部を屈曲して形成する
ことを特徴とする請求項１に記載のフェイスプロテクタ―。
【請求項３】
人体の前頭部に当接する前記ヘッドバンドの曲面の法線ベクトルは、前記プロテクターの曲面の法線ベクトルより所定角度上方向である
ことを特徴とする請求項２に記載のフェイスプロテクタ―。
【考案の詳細な説明】
【技術分野】
【０００１】
本考案は、飛沫や風などから顔面を保護するためのフェイスプロテクタ―に関する。
【背景技術】
【０００２】
従来より、このフェイスプロテクタ―としては、例えば、非特許文献１に記載されているようなものがあった。図５は、非特許文献１に記載された従来のフェイスプロテクタ―を示すものである。
【０００３】
図５（ａ）において、このフェイスプロテクター５００は、伸縮する紐５０３が人体の顔面を覆う透明シートのプロテクター５０１とヘッドバンド５０２のそれぞれの孔５０４、５０５を縫うように通り両端を固定することにより、プロテクター１０１とヘッドバンド５０２の両端部とを括着していた。
【０００４】
図５（ｂ）は、従来のフェイスプロテクター５００を人体の頭部に装着したときの上方から見た平面図である。この図で示すように、人体の頭部５０４の額にヘッドバンド５０２を当接し、伸縮する紐５０３で当接状態を保持させていた。そして、ヘッドバンド５０２を額に当接した状態でプロテクター５０１と顔面との間に適度の空間を生むようにヘッドバンド５０２の長さを設定していた。
【０００５】
これとは別に、従来のフェイスプロテクターとしては、例えば、特許文献１に記載されているようなものがあった。図６は、特許文献１に記載された従来の顔面保護具を示すものである。
【０００６】
図６において、フェイスプロテクターである顔面保護具は、顔面上部に装着される庇６０１と、庇６０１の先端縁に沿って着脱自在に吊り下げられた顔面を覆う透光カバー６０２とからなるものであった。この庇６０１は人体の額に沿って巻き付けられる内側帯片６０３と、内側帯片６０３から外方へ一体に張り出す庇本体６０４と、庇本体６０４から分離してその先端縁に沿って配置される外側帯片６０５と、内側帯片６０３および外側帯片６０５の両端間に架設される伸縮ベルト６０６とからなった。
【０００７】
そして、この顔面保護具は、熱や湿気が透光カバー６０２の内側にこもったときに、外側帯片６０５を上方へ回動させて透光カバー６０２を一時的に押し上げて使用するものであった。
【先行技術文献】
【特許文献】
【０００８】
【特許文献１】特開２００３−３３９８９３号公報（第1図、段落０００８、段落００１１から段落００１５）
【非特許文献】
【０００９】
【非特許文献１】Ｏｐｅｎ  Ｓｏｕｒｃｅ  Ｆａｃｅ  Ｓｈｉｅｌｄ  Ｖ１．１  インターネット  ＜URL：https://open-face-ppe.now.sh/＞
【考案の概要】
【考案が解決しようとする課題】
【００１０】
しかしながら、これら従来例のフェイスプロテクターでは、眼鏡をかけた状態で装着した場合、プロテクターと頭部のこめかみ近傍との距離が十分に設けることができず、プロテクターと眼鏡とが干渉してしまうという課題があった。また、従来の庇のあるフェイスプロテクターでは、透光カバーの内側に熱や湿気がこもってしまうという課題があった。
【００１１】
本考案は、上記従来の課題を解決するためになされ、その目的とするところは、眼鏡をかけた状態でもプロテクターと眼鏡とが干渉せず、かつプロテクターの内側に熱や湿気のこもらないフェイスプロテクタ―を提供することにある。
【課題を解決するための手段】
【００１２】
上記従来の課題を解決する本考案に係るフェイスプロテクターは、人体の前頭部からこめかみ近傍にかけて当接する当接部と、当該当接部の当接状態を保持する保持部材と、当接部から前方へ突出する、人体の顔面を覆う、透明のシート状のプロテクターと、当接部の両端部に付設され、そのプロテクターを少なくとも左右方向へ突設するスペーサとを備える。
【００１３】
これによって、眼鏡をかけた状態でフェイスプロテクターを装着しても、頭部のこめかみ近傍にプロテクターとの間隙が生まれるので、眼鏡とプロテクターとが干渉することを防止できる。また、スペーサはこめかみ近傍に付いているので、顔面の前方上方が開放されており、プロテクターの内側に熱や湿気がこもるのを防止できる。
【００１４】
さらに、こめかみ近傍のプロテクターが左右方向へ広がることでプロテクターの、視界に影響する領域の曲率が小さくなり、プロテクターの厚みが増したときに特に問題になるプロテクター越しに見た視界の歪みを改善できる。
【００１５】
また、本考案に係るフェイスプロテクターの当接部はヘッドバンドであって、スペーサは当該ヘッドバンドの両端部を屈曲して形成する。
【００１６】
これによって、スペーサがヘッドバンドと一体で製造可能であるのでフェイスプロテクターの製造が容易となる。また、スペーサがヘッドバンドと一体物であるので、スペーサをヘッドバンドに結合する手段を必要としないという効果がある。
【００１７】
また、本考案に係るフェイスプロテクターの人体の前頭部に当接するヘッドバンドの曲面の法線ベクトルは、プロテクターの曲面の法線ベクトルより所定角度上方向である。
【００１８】
これによって、ヘッドバンドを前頭部の額より上側に当接して装着できるので、フェイスプロテクターをしっかりと頭部に固定でき、プロテクターが重力により下方にずれるのを防止することができる。
【考案の効果】
【００１９】
本考案により、眼鏡をかけた状態でもプロテクターと眼鏡とが干渉せず、かつプロテクターの内側に熱や湿気のこもらないフェイスプロテクタ―を提供することができる。
さらに、視界の歪みが改善されたフェイスプロテクタ―を提供することができる。
【図面の簡単な説明】
【００２０】
【図１】本考案の実施の形態１におけるフェイスプロテクタ―の斜視図
【図２】（ａ）本考案の実施の形態１におけるフェイスプロテクタ―のプロテクターの平面図、（ｂ）本考案の実施の形態１におけるフェイスプロテクタ―のヘッドバンドの平面図、（ｃ）本考案の実施の形態１におけるフェイスプロテクタ―のスペーサを形成したヘッドバンドの斜視図
【図３】本考案の実施の形態１におけるフェイスプロテクタ―を頭部に装着した状態の平面図
【図４】本考案の実施の形態１におけるフェイスプロテクターの側面図
【図５】（ａ）従来のフェイスプロテクターの斜視図、（ｂ）従来のフェイスプロテクターを頭部に装着した状態の平面図
【図６】従来のフェイスプロテクターの斜視図
【考案を実施するための形態】
【００２１】
以下本考案の実施の形態について、図面を参照しながら説明する。
（実施の形態１）
【００２２】
図１は、本考案の実施の形態１におけるフェイスプロテクタ―の斜視図である。図において、フェイスプロテクタ―１００は、プロテクター１０１と、プロテクター１０１を突設するスペーサ１０３を両端部に有するヘッドバンド１０２と、プロテクター１０１とヘッドバンド１０２とを括着させる紐１０４とからなる。このヘッドバンド１０２は人体の前頭部からこめかみ近傍にかけて当接するもので、本考案の当接部に該当する。紐１０４は人体の頭部にヘッドバンド１０２を当接したときの状態を保持するためのもので、本考案の保持部材に該当する。なお、本フェイスプロテクタ１００の紐１０４は伸縮機能を有さない木綿製であり、当接状態を保持するための長さ調節用のストッパー１０５を備えている。
【００２３】
図２は本考案の実施の形態１におけるフェイスプロテクタ―の構成部品を説明するための図であり、図２（ａ）はプロテクターの平面図であり、図２（ｂ）はスペーサを形成する前のヘッドバンドの平面図であり、図２（ｃ）はスペーサを形成した状態のヘッドバンドの斜視図である。
【００２４】
図１と図２（ａ）において、プロテクター１０１は透明な可撓性を有するシートであり、ポリエチレンテレフタレート（ＰＥＴ）などの合成樹脂製である。大きさは顔の全体を被覆可能なサイズである。なお、厚さは、０．２ｍｍ〜０．５ｍｍのものであるが、透光の歪み度合や剛性や重量などの点から０．２５ｍｍ〜０．３ｍｍのものが好ましい。また、プロテクター１０１は、上側の左右端付近に紐１０４が貫通する孔（ｋ、ｌ、ｍ、ｎ）を水平に２個づつ備える。
【００２５】
図２（ｂ）において、ヘッドバンド１０２も、プロテクター１０１と同様にポリエチレンテレフタレート（ＰＥＴ）などの合成樹脂製である。そして、ヘッドバンド１０２は全長Ｌ２がプロテクター１０１の横幅Ｌ１よりも短く、また、両端部にスペーサ構成部を備えている。このヘッドバンド１０２の長さＬ２とプロテクター１０１の横幅Ｌ１との差によって、図１に示すようにプロテクター１０１とヘッドバンド１０２との間隙を形成する。
【００２６】
ヘッドバンド１０２には、孔ａ、ｂ、ｃ、ｄ、ｅと孔ｆ，ｇ，ｈ，ｉ，ｊとが左右線対称の位置に設けられており、各孔は紐１０４が貫通できる径である。また、折り目Ａ、Ｂ、Ｃと折り目Ｄ、Ｅ、Ｆも左右線対称の位置に設けられており、図２（ｃ）で示すようにこれらの折り目で孔ａと孔ｅ、孔ｆと孔ｊとが重なるように織り込まれることでスペーサ１０３を形成する。
【００２７】
ここで、孔ｃ、孔ｄ間の距離とプロテクター１０１の孔ｋ、孔ｌ間の距離とは同一であり、孔ｈ、孔ｉ間の距離とプロテクター１０１の孔ｍ、孔ｎ間の距離も同一である。これは、これらの孔がプロテクターとヘッドバンドとが括着するときに重なり合う関係にあるからである。
【００２８】
また、ヘッドバンド１０２の孔ａ、ｂ、ｃ、ｄは、孔ａと孔ｂを結ぶ線、孔ｃと孔ｄを結ぶ線が共に水平ではなく、所定の角度θ傾いて配置されている。線対称の位置にある孔ｆ、孔ｇ、孔ｈ、孔ｉも同様である。本実施の形態では、角度θはおよそ２０度である。
【００２９】
次に、これらプロテクター１０１と、スペーサ１０３を有するヘッドバンド１０２を伸縮しない紐１０４で括着する方法を以下に説明する。
【００３０】
図１と図２に示すように、紐１０４は、その一方の端がプロテクター１０１の孔ｋ、ヘッドバンド１０２の孔ｃ、孔ｂ、孔ａ、孔ｅ、孔ｄ、プロテクター１０１の孔ｌの順に縫い込まれ、孔ｌを貫通したところで結び目を作成する。次に、紐の他方の端部も、同様にプロテクター１０１の孔ｎ、ヘッドバンド１０２の孔ｈ、孔ｇ、孔ｆ、孔ｊ、孔ｉ、プロテクター１０１の孔ｍの順に縫い込まれ、孔ｍを貫通したところで結び目を作成する。これにより、紐１０４の両端はプロテクター１０１の外面側で固定されるので、図１に示すようにストッパー１０５を調節してプロテクター１０１にヘッドバンド１０２から前方に突出するようにテンションを掛けることによりプロテクター１０１とヘッドバンド１０２に付されたスペーサ１０３とが当接して紐１０４により括着される。
【００３１】
次に、このときのフェイスプロテクターのプロテクターとヘッドバンドとの位置関係について図面を用いて説明する。
図４はフェイスプロテクターの側面図である。
【００３２】
図４において、プロテクター１０１の曲面の法線ｚ１が水平方向に向けられているとき、ヘッドバンド１０２の曲面の法線ｚ２は所定角度θだけ水平より上方に向いている。これは、図２（ａ）で示したようにプロテクター１０１のヘッドバンド１０２と結合する孔ｋ、ｌ、ｍ、ｎが水平に並んでいるのに対し、図２（ｂ）で示したようにスペーサ１０３のプロテクター１０１と結合する孔ｃ、ｄ及びそれらと対向する孔ｂ、ａ（ｅ）が水平から所定角度θだけ傾いて配置しているので、両者を紐１０４で括ることによりヘッドバンド１０２が所定角度θだけ上向きに傾く。ヘッドバンド１０２の孔ｈ、ｉ及びそれらと対向する孔ｇ、ｆ（ｉ）についても同様である。
【００３３】
□以上のように構成されたフェイスプロテクタ―について、以下に人体の頭部に装着したときの作用効果を説明する。
【００３４】
図３は本考案の実施の形態１におけるフェイスプロテクタ―を頭部に装着した状態を説明する図であって、頭部の上方から見た平面図である。
【００３５】
図３において、フェイスプロテクタ―のヘッドバンド１０２を頭部３０１の前頭部に当接させた状態でストッパー１０５が後頭部に当たる程度まで紐１０４を縮めることにより、フェイスプロテクタ―１００が頭部３０１にしっかりと固定される。そして、プロテクター１０１が顔面から前方に適宜離れた位置で顔面全体を覆うことで、プロテクター１０１の外側と内側との雰囲気を遮断する。
【００３６】
これにより、外部からの飛沫や風を直接顔面で受けることを防止できる。また、スペーサ１０３のあるプロテクター１０１とヘッドバンド１０２とが括着する部分以外は、プロテクター１０２の内側の上方は開放されているので、熱や湿気が内側にこもることがなく、プロテクターの曇りも防止でき、快適に装着し続けることが可能である。
【００３７】
さらに、ヘッドバンド１０２に形成されたスペーサ１０３により、プロテクター１０１の、頭部のこめかみに対応する部分が左右方向に広がるため、眼鏡をかけた状態においても、プロテクター１０１と眼鏡とが干渉することなく快適にフェイスプロテクタ―を装着し続けることができる。
【００３８】
またさらに、プロテクター１０１のこめかみ対応部分が左右方向に広がることにより、視界に影響を及ぼすプロテクター１０１の領域の曲率が、図５（ｂ）で示した従来のフェイスプロテクターの場合に比べ小さくなるので、プロテクター１０１越しに見た視界の歪みが改善される。これは、プロテクター１０１の透明シートの厚みが増すほど効果が明確に現れる。
【００３９】
なお、本考案の実施の形態１におけるフェイスプロテクタ―は、スペーサ１０３がヘッドバンド１０２の両端部分を折り曲げることで形成したが、これに限らずスペーサをヘッドバンドとは別体のものにすることも可能である。しかしながら、本考案の実施の形態１におけるスペーサのようにヘッドバンドと連続したものとして構成したことにより、本フェイスプロテクタ―は極めて容易に製造することが可能であるとともに、スペーサをヘッドバンドに固定する手段も不要であるので本実施の形態が優れている。
【００４０】
加えて、本考案の実施の形態１におけるフェイスプロテクタ―は、図４に示したようにヘッドバンド１０２が所定角度θだけ上方を向いているので、前頭部の額よりも上側の部分にヘッドバンド１０２を当接できるので、フェイスプロテクターをしっかりと頭部に固定でき、プロテクターが重力により下方にずり落ちるのを防止することができる。
【００４１】
また、本考案の実施の形態では、伸縮しない紐を用いたが、これに限らず伸縮するバンドやバックル付きのベルトなどを用いることも可能である。
【産業上の利用可能性】
【００４２】
本考案は、飛沫などを浴びることを防ぐフェイスプロテクターに有用であり、眼鏡をかけた状態で装着するのに適している。
【符号の説明】
【００４３】
１００    フェイスプロテクター
１０１    プロテクター
１０２    ヘッドバンド
１０３    スペーサ
１０４    紐
１０５    ストッパ
３０１    頭部
３０２    眼鏡
５００    フェイスプロテクター
５０１    プロテクター
５０２    ヘッドバンド
５０３    伸縮する紐
６０１    庇
６０２    透光カバー
６０３    内側帯片
６０４    庇本体
６０５    外側帯片
６０６    伸縮ベルト
【図１】
0003227460.tif 000003
【図２】
0003227460.tif 000004
【図３】
0003227460.tif 000005
【図４】
0003227460.tif 000006
【図５】
0003227460.tif 000007
【図６】
0003227460.tif 000008